(57)【要約】【課題】アクチュエータ３で構成する粒状半田７は粒子の直径が大きく、１００μｍの半田ボールの作成が一般的であり、真球になりにくく、ランジュバン型振動子９で飛ばした粒状半田７は粒子の直径は小さくなるが、真球度を確保することが難しく、アクチュエータ３でポケット４から落下した粒状半田７をさらに微細な半田１１に構成する装置でも、真球度を確保することが難しいという問題があった。【解決手段】支持部材１２で長尺の半円弧状の反射部材１３が支持され、長尺の半円弧状の反射部材１３に対向して長尺の半円弧状の振動部材１４が装着され球体状半田ボール作成部１５が構成され、振動部材１４の供給装置１６側の近傍に駆動側ホーン振動子１８のホーン１８ｂの端部が固着され、振動部材１４の排出装置１７側の近傍にエネルギー消費側ホーン振動子１９のホーン１９ｂの端部が固着されている。【選択図】        図１
2005013896.tif 000002
【特許請求の範囲】
【請求項１】
長尺の円弧状の反射部材と対向してほぼ同じ長さの円弧状の振動部材とからなる球体状半田ボール作成部と、前記振動部材の一方の端部に装着され、発振器からの発振出力によって駆動される駆動側ホーン振動子と、前記振動部材の他端に装着され、前記駆動側ホーン振動子から伝達された超音波振動にって共振回路により共振駆動されるエネルギー消費側ホーン振動子とからなり、前記反射部材と振動部材の間に供給された粒状半田を前記反射部材と振動部材の間に照射される超音波によりほぼ中央に浮遊搬送しながら前記粒状半田の真球度を確保することを特徴とする球体状半田ボール作成装置。
【発明の詳細な説明】
【０００１】
【発明が属する技術分野】
本発明は、溶融された半田より分散された粒状半田を球体状半田ボールに作成する球体状半田ボール作成装置に関するものである。
【０００２】
【従来の技術】
従来、粒状半田作成装置としては、図３に示すように、ハウジング１の蓋部２を貫通して、上下に移動するアクチュエータ３を装着し、このアクチュエータ３の下端３ａをハウジング１の上部に設けたポケット４の下部の孔５に臨ませ、ポケット４に溶融半田６を供給し、アクチュエータ３を上下に移動することにより、アクチュエータ３の下端３ａがポケット４の下部の孔５を開閉することにより、ポケット４内の半田を少しずつ落下させて粒状半田７を構成するようにしたり、又、図４に示すように、容器８に溶融半田６を入れ、ランジュバン型振動子９のホーン９ａを溶融半田６に浸漬した後、発振器１０から発振出力を印加することにより、ランジュバン型振動子９のホーン９ａを振動して、溶融半田６をホーン９ａの超音波振動で飛ばすことにより、粒状半田７を構成するようにしたり、さらに、図５に示すように、アクチュエータ３の上下動によりポケット４の孔５から落下する粒状半田７をランジュバン型振動子９のホーン９ａで飛ばして、微細な半田１１を構成するようにしている。
【０００３】
【発明が解決しようとする課題】
しかしながら、このように構成した従来の粒状半田構成装置では、図３のアクチュエータ３で構成する粒状半田７は粒子の直径が大きく、１００μｍの半田ボールの作成が一般的であり、さらに、真球になりにくいという問題があり、又、図４のランジュバン型振動子９で飛ばした粒状半田７は粒子の直径は小さくなるが、真球度を確保することが難しく、さらに、図５に示すアクチュエータ３でポケット４から落下した粒状半田７をさらに微細な半田１１に構成する装置でも、真球度を確保することが難しいという問題があった。
【０００４】
【課題を解決しようとする手段】
本発明は、長尺の円弧状の反射部材と対向してほぼ同じ長さの円弧状の振動部材とからなる球体状半田ボール作成部と、前記振動部材の一方の端部に装着され、発振器からの発振出力によって駆動される駆動側ホーン振動子と、前記振動部材の他端に装着され、前記駆動側ホーン振動子から伝達された超音波振動にって共振回路により共振駆動されるエネルギー消費側ホーン振動子とからなり、前記反射部材と振動部材の間に供給された粒状半田を前記反射部材と振動部材の間に照射される超音波によりほぼ中央に浮遊搬送しながら前記粒状半田の真球度を確保するものである。
【０００５】
【発明の実施の形態】
本発明は、粒状半田構成装置で構成された半溶融状態の粒状半田を球体状半田ボール作成部の長尺の半円弧状の反射部材と振動部材の間に供給装置で供給することにより、駆動側ホーン振動子から振動部材に供給された超音波とエネルギー消費側ホーン振動子における共振振動による超音波が、半円弧状の振動部材と半円弧状の反射部材において粒状半田の全周から照射されるので、半円弧状の振動部材と反射部材の中心に浮遊した粒状半田は超音波の照射圧力で真球度がアップするとともに、超音波の定在波で閉じ込められて搬送され、搬出装置で搬出される。
【０００６】
【実施例】
図１は本発明の実施例の球体状半田ボール作成装置の正面図、図２は図１の球体状半田ボール作成装置の側面図で、支持部材１２で長尺の半円弧状の反射部材１３が支持され、この長尺の半円弧状の反射部材１３に対向してほぼ同じ長さの長尺の半円弧状の振動部材１４が装着され球体状半田ボール作成部１５が構成され、この球体状半田ボール作成部１５の一端に粒状半田を供給する供給装置１６が装着され、球体状半田ボール作成部１５の他端に球体状半田ボールを排出する排出装置１７が装着され、振動部材１４の供給装置１６側の近傍にランジュバン型振動子１８ａとホーン１８ｂとからなる駆動側ホーン振動子１８のホーン１８ｂの端部が固着され、又、振動部材１４の排出装置１７側の近傍にランジュバン型振動子１９ａとホーン１９ｂとからなるエネルギー消費側ホーン振動子１９のホーン１９ｂの端部が固着され、駆動側ホーン振動子１８のランジュバン型振動子１８ａに発振器２０から発振出力が印加され、エネルギー消費側ホーン振動子１９のランジュバン型振動子１９ａの圧電体振動子に抵抗２１ａ及びコイル２１ｂからなる共振回路２１が接続されている。
【０００７】
このように構成した本実施例の球体状半田ボール作成装置では、図３〜図５に示すような粒状半田作成装置で構成された半溶融状態の粒状半田を球体状半田ボール作成部１５の長尺の半円弧状の反射部材１３と振動部材１４の間に供給装置１６で供給して、発振器２０から駆動側ホーン振動子１８に発振出力を印加すると、振動部材１４を介して超音波振動がエネルギー消費側ホーン振動子１９に伝達されることにより、その超音波振動はエネルギー消費側ホーン振動子１９のホーン１９ｂからランジュバン型振動子１９ａの圧電体振動子に伝達されて、この圧電体振動子１９ａに接続された抵抗２１ａとコイル２１ｂの共振回路２１により共振してエネルギー消費側ホーン振動子１９が振動し、駆動側ホーン振動子１８とエネルギー消費側ホーン振動子１９から半円弧状の振動部材１４に供給された超音波が半円弧状の振動部材１４と半円弧状の反射部材１３で粒状半田の全周から照射されるので、半円弧状の反射部材１３と振動部材１４の中心に浮遊した粒状半田２２は超音波の照射圧力で真球度がアップするとともに、超音波の定在波で閉じ込められて搬送され、搬出装置１７で搬出することができる。
【０００８】
本実施例では、このように、供給装置で供給された粒状半田は半円弧状の振動部材１４と半円弧状の反射部材１３における超音波振動で、半円弧状の振動部材１４と半円弧状の反射部材１３の全周から超音波の音圧が加わり、それによって、粒状半田は半円弧状の振動部材１４と半円弧状の反射部材１３の中心に浮遊するとともに、音圧によって真球度がアップし、超音波の定在波で閉じ込められて搬送され、搬出装置１７で搬出することができる。
【０００９】
【発明の効果】
以上説明したように、本発明の球体状半田ボール作成装置では、粒状半田作成装置で構成された半溶融状態の粒状半田を球体状半田ボール作成部の長尺の半円弧状の反射部材と振動部材の間に供給装置で供給することにより、駆動側ホーン振動子とエネルギー消費側ホーン振動子から振動部材に供給された超音波が半円弧状の振動部材と半円弧状の反射部材によって、粒状半田の全周から照射されるので、半円弧状の振動部材と反射部材の中心に浮遊した粒状半田は超音波の照射圧力で真球度がアップするとともに、超音波の定在波で閉じ込められて搬送されるという利点がある。
【図面の簡単な説明】
【図１】図１は本発明の実施例の球体状半田ボール作成装置の正面図である。
【図２】図２は図１の球体状半田ボール作成装置の側面図である。
【図３】図３は従来の粒状半田作成装置の構成図である。
【図４】図４は従来の粒状半田作成装置の構成図である。
【図５】図５は従来の粒状半田作成装置の構成図である。
【符号の説明】
１２        支持部材
１３        反射部材
１４        振動部材
１５        球体状半田ボール作成部
１６        供給装置
１７        排出装置
１８        駆動側ホーン振動子
１９        エネルギー消費側ホーン振動子
２０        発振器
２１        共振回路
２２        粒状半田
【図１】
2005013896.tif 000003
【図２】
2005013896.tif 000004
【図３】
2005013896.tif 000005
【図４】
2005013896.tif 000006
【図５】
2005013896.tif 000007